(57)【要約】      （修正有）【課題】パワーコンディショナに接続される負荷が適切に選択されることにより、パワーコンディショナの出力性能が最大限に発揮されることを可能にする。【解決手段】表示装置１０は、入力部１１と、記憶部１２と、電力情報作成部１３と、表示部１４とを備える。入力部１１には、単相３線式電力線の第１相（Ｕ相）に出力された第１の交流電力（又は交流電流）に関する情報と、単相３線式電力線の第２相（Ｖ相）に出力された第２の交流電力（又は交流電流）に関する情報が入力される。記憶部１２は、第１相に出力可能な第１の所定電力と第２相に出力可能な第２の所定電力とを記憶する。電力情報作成部１３は、入力部１１に入力された第１及び第２の交流電力（又は交流電流）に関する情報と、第１及び第２の所定電力から電力情報を作成する。表示部１４は、電力情報を表示する。電力情報は、所定電力と交流電力との比較結果を含む。【選択図】図２
2015211537.tif 000002
【特許請求の範囲】
【請求項１】
単相３線式電力線に関する電力情報を表示する表示装置であって、
前記表示装置は、
前記単相３線式電力線の第１相に出力された第１の交流電力に関する情報または第１の交流電流に関する情報と、前記単相３線式電力線の第２相に出力された第２の交流電力に関する情報または第２の交流電流に関する情報とを受ける入力部と、
前記第１相に出力可能な第１の所定電力と、前記第２相に出力可能な第２の所定電力とを記憶する記憶部と、
前記入力部が受けた前記第１の交流電力に関する情報または第１の交流電流に関する情報と、前記第２の交流電力に関する情報または第２の交流電流に関する情報と、前記第１の所定電力と前記第２の所定電力から前記電力情報を作成する電力情報作成部と、
前記電力情報を表示するための表示部と、を備え、
前記電力情報は、
前記第１の所定電力と前記第１の交流電力との比較結果と、
前記第２の所定電力と前記第２の交流電力との比較結果と、を含むことを特徴とする表示装置。
【請求項２】
前記記憶部は、
前記第１の交流電力または前記第２の交流電力が供給される複数の負荷と、前記複数の負荷の各々の消費電力または消費電流とに関する負荷情報を予め記憶し、
前記表示部は、
前記複数の負荷のうち、前記第１の所定電力から、前記第１の交流電力を差引いた電力以下の電力を消費電力とする、または前記第１の交流電力を差引いた電力以下の電力に対応する電流を消費電流とする負荷を表示し、
前記表示部は、
さらに、前記複数の負荷のうち、前記第２の所定電力から、前記第２の交流電力を差引いた電力以下の電力を消費電力とする、または前記第２の交流電力を差引いた電力以下の電力に対応する電流を消費電流とする負荷を表示する、請求項１に記載の表示装置。
【請求項３】
前記単相３線式電力線は、
直流電力を前記第１の交流電力および前記第２の交流電力に変換するパワーコンディショナに接続され、
前記第１の所定電力および第２の所定電力は、前記直流電力に基づいて計算され、
前記表示装置は、
前記第１の所定電力および前記第２の所定電力を表示する、請求項１または請求項２記載の表示装置。
【請求項４】
直流電力を単相３線式電力線の交流電力に変換するパワーコンディショナであって、
前記パワーコンディショナは、  
第１の端子と、
第２の端子と、
第３の端子と、を備え、
前記第１の端子および前記第２の端子は、前記単相３線式電力線の第１相に第１の交流電力を出力し、
前記第３の端子および前記第２の端子は、前記単相３線式電力線の第２相に第２の交流電力を出力し、
さらに、前記第１相に出力された前記第１の交流電力に関する情報あるいは第１の交流電流に関する情報と、前記第２相に出力された第２の交流電力に関する情報あるいは第２の交流電流に関する情報とを受ける入力部と、
前記パワーコンディショナが前記第１相に出力可能な第１の所定電力と、前記パワーコンディショナが前記第２相に出力可能な第２の所定電力とを記憶する記憶部と、
前記入力部が受けた前記第１の交流電力に関する情報あるいは前記第１の交流電流に関する情報と、前記第２の交流電力に関する情報あるいは前記第２の交流電流に関する情報と、前記第１の所定電力と前記第２の所定電力から電力情報を作成する電力情報作成部と、
前記電力情報を前記パワーコンディショナの外部に送信するための通信部と、を備え、
前記電力情報は、
前記第１の所定電力と前記第１の交流電力との比較結果と、
前記第２の所定電力と前記第２の交流電力との比較結果と、を含むパワーコンディショナ。
【請求項５】
直流電力を単相３線式電力線の交流電力に変換するパワーコンディショナと、
前記単相３線式電力線に関する電力情報を表示する表示装置と、を含むパワーコンディショニングシステムであって、
前記パワーコンディショナは、
少なくとも第１の端子と、
第２の端子と、
第３の端子と、を備え、
前記第１の端子および前記第２の端子は、前記単相３線式電力線の第１相に第１の交流電力を出力し、
前記第３の端子および前記第２の端子は、前記単相３線式電力線の第２相に第２の交流電力を出力し、
前記パワーコンディショニングシステムは、さらに、
前記第１相に出力された前記第１の交流電力に関する情報あるいは第１の交流電に関する情報流と、前記第２相に出力された第２の交流電力に関する情報あるいは第２の交流電流に関する情報とを受ける入力部と、
前記パワーコンディショナが前記第１相に出力可能な第１の所定電力と、前記パワーコンディショナが前記第２相に出力可能な第２の所定電力とを記憶する記憶部と、
前記入力部が受けた第１の交流電力に関する情報あるいは第１の交流電流に関する情報と、第２の交流電力に関する情報あるいは第２の交流電流に関する情報と、前記第１の所定電力と前記第２の所定電力から電力情報を作成する電力情報作成部とを含み、
前記電力情報は、
前記第１の所定電力と前記第１の交流電力との比較結果と、
前記第２の所定電力と、前記第２の交流電力との比較結果とを含む、パワーコンディショニングシステム。
【発明の詳細な説明】
【技術分野】
【０００１】
本発明は、表示装置、パワーコンディショナ、パワーコンディショニングシステムに関する。
【背景技術】
【０００２】
従来より、直流電力を交流電力に変換して出力する機器の一つとして、パワーコンディショナが知られている（たとえば特開２００６−３０４５７９号公報参照）。パワーコンディショナには、商用の交流電力系統と連系して動作するものもある。
【０００３】
商用の交流電力系統では、たとえば単相３線方式が用いられる。単相３線方式では、第１の電力線（Ｕ線）および第２の電力線（Ｏ線）との間（「Ｕ相」とも呼ばれることもある）に、たとえば１００Ｖの交流電力が供給される。第３の電力線（Ｖ線）と第２の電力線（Ｏ線）との間（「Ｖ相」とも呼ばれることもある）に、たとえば１００Ｖの交流電力が供給される。
【０００４】
単相３線式の交流電力系統と連系可能に構成されたパワーコンディショナは、Ｕ相およびＶ相に交流電力を出力可能に構成される。Ｕ相の交流電力は、たとえばＵ相に接続された負荷によって消費される。Ｖ相の交流電力は、たとえばＶ相に接続された負荷によって消費される。
【先行技術文献】
【特許文献】
【０００５】
【特許文献１】特開２００６−３０４５７９号公報
【発明の概要】
【発明が解決しようとする課題】
【０００６】
パワーコンディショナには、交流電力系統が利用できなくなった場合（たとえば停電時）交流電力系統から自立して運転（自立運転）を行なうものもある。自立運転時にＵ相に接続して使用できる負荷は、パワーコンディショナがＵ相に出力可能な電力以下の消費電力を有する負荷に限られる。同様に、Ｖ相に接続して使用できる負荷は、パワーコンディショナがＶ相に出力可能な電力以下の消費電力を有する負荷に限られる。
【０００７】
特開２００６−３０４５７９号公報は、Ｕ相およびＶ相のいずれか一方の相で消費される電力が過度に大きくなった時点、つまりＵ相およびＶ相のいずれか一方の相が過負荷となった時点で、パワーコンディショナによる電力供給を停止することを提案する。
【０００８】
しかし、一方の相（たとえばＵ相）において過負荷であっても、他方の相（たとえばＶ相）においては過負荷でない（余力を残した状態である）場合もある。そのような場合であっても、特開２００６−３０４５７９が提案する技術では、パワーコンディショナの出力性能が最大限に発揮されずにパワーコンディショナが停止してしまうこととなる。
【０００９】
本発明の目的は、パワーコンディショナに接続される負荷が適切に選択されることにより、パワーコンディショナの出力性能が最大限に発揮されることを可能にすることである。
【課題を解決するための手段】
【００１０】
本発明は、ある局面において、単相３線式電力線に関する電力情報を表示する表示装置である。表示装置は、入力部と、記憶部と、電力情報作成部と、表示部とを備える。入力部は、単相３線式電力線の第１相に出力された第１の交流電力に関する情報または第１の交流電流に関する情報と、単相３線式電力線の第２相に出力された第２の交流電力に関する情報または第２の交流電流に関する情報とを受ける。記憶部は、第１相に出力可能な第１の所定電力と、第２相に出力可能な第２の所定電力とを記憶する。電力情報作成部は、入力部が受けた第１の交流電力に関する情報または第１の交流電流に関する情報と、第２の交流電力に関する情報または第２の交流電流に関する情報と、第１の所定電力と第２の所定電力から電力情報を作成する。表示部は、電力情報を表示する。電力情報は、第１の所定電力と第１の交流電力との比較結果と、第２の所定電力と第２の交流電力との比較結果と、を含む。
【００１１】
上記構成の表示装置では、表示部は、第１相に出力可能な第１の所定電力と第１の交流電力との比較結果と、第２相に出力可能な第２の所定電力と第２の交流電力との比較結果とを含む電力情報を表示する。この電力情報を参考にすれば、たとえばユーザは、第１相および第２相にどのような負荷を接続して使用すべきか判断できる。
【００１２】
このような判断に基づけば、第１相に適切に負荷が接続され得るとともに、第２相に適切に負荷が接続され得る。したがって、第１相および第２相に出力可能な電力を最大限に利用することが可能になる。
【００１３】
本発明は、他の局面において、直流電力を単相３線式の交流電力に変換するパワーコンディショナである。パワーコンディショナは、第１の端子と、第２の端子と、第３の端子と、を備える。第１の端子および第２の端子は、単相３線式電力線の第１相に第１の交流電力を出力する。第３の端子および第２の端子は、単相３線式電力線の第２相に第２の交流電力を出力する。パワーコンディショナは、さらに、入力部と、記憶部と、電力情報作成部と、通信部とを含む。入力部は、第１相に出力された第１の交流電力に関する情報あるいは第１の交流電流に関する情報と、第２相に出力された第２の交流電力に関する情報あるいは第２の交流電流に関する情報とを受ける。記憶部は、パワーコンディショナが第１相に出力可能な第１の所定電力と、パワーコンディショナが第２相に出力可能な第２の所定電力とを記憶する。電力情報作成部は、入力部が受けた第１の交流電力に関する情報あるいは第１の交流電流に関する情報と、第２の交流電力に関する情報あるいは第２の交流電流に関する情報と、第１の所定電力と第２の所定電力から電力情報を作成する。通信部は、電力情報をパワーコンディショナの外部に送信するために用いられる。電力情報は、第１の所定電力と第１の交流電力との比較結果と、第２の所定電力と第２の交流電力との比較結果と、を含む。
【００１４】
上記構成のパワーコンディショナでは、電力情報が、通信部を用いることによって、パワーコンディショナの外部に送信され得る。この電力情報を参考にすれば、たとえばユーザは、第１相および第２相にどのような負荷を接続して使用すべきか判断できる。
【００１５】
このような判断に基づけば、たとえば、パワーコンディショナが第１相にさらに出力可能な電力に応じて、第１相に適切に負荷が接続され得る。同様に、パワーコンディショナが第２相にさらに出力可能な電力に応じて、第２相に適切に負荷が接続され得る。したがって、パワーコンディショナが第１相および第２相に出力可能な電力を最大限に利用することが可能になる。
【００１６】
本発明は、他の局面において、直流電力を単相３線式電力線の交流電力に変換するパワーコンディショナと、単相３線式電力線に関する電力情報を表示する表示装置と、を含むパワーコンディショニングシステムである。パワーコンディショナは、少なくとも第１の端子と、第２の端子と、第３の端子と、を備える。第１の端子および第２の端子は、単相３線式電力線の第１相に第１の交流電力を出力する。第３の端子および第２の端子は、単相３線式電力線の第２相に第２の交流電力を出力する。パワーコンディショニングシステムは、さらに、入力部と、記憶部と、電力情報作成部とを含む。入力部は、第１相に出力された第１の交流電力に関する情報あるいは第１の交流電流に関する情報と、第２相に出力された第２の交流電力に関する情報あるいは第２の交流電流に関する情報とを受ける。記憶部は、パワーコンディショナが第１相に出力可能な第１の所定電力と、パワーコンディショナが第２相に出力可能な第２の所定電力とを記憶する。電力情報作成部は、入力部が受けた第１の交流電力に関する情報あるいは第１の交流電流に関する情報と、第２の交流電力に関する情報あるいは第２の交流電流に関する情報と、第１の所定電力と第２の所定電力から電力情報を作成する。電力情報は、第１の所定電力と第１の交流電力との比較結果と、第２の所定電力と、第２の交流電力との比較結果とを含む。
【００１７】
上記構成のパワーコンディショニングシステムによっても、たとえば、パワーコンディショナが第１相および第２相に出力可能な電力を最大限に利用することが可能になる。
【発明の効果】
【００１８】
本発明によれば、パワーコンディショナに接続される負荷が適切に選択されることにより、パワーコンディショナの出力性能が最大限に発揮されることが可能になる。
【図面の簡単な説明】
【００１９】
【図１】表示装置を説明するための図である。
【図２】パワーコンディショナに用いられる表示装置、およびパワーコンディショニングシステムを説明するための図である。
【図３】実施の形態において実行される処理の一例を説明するためのフローチャートである。
【図４】変形例１において実行される処理の一例を説明するためのフローチャートである。
【図５】変形例２において表示部が表示する内容を説明するための図である。
【図６】変形例３において表示部が表示する内容を説明するための図である。
【図７】表示装置の機能を含むパワーコンディショナを説明するための図である。
【図８】表示部を含まずに構成されるパワーコンディショナを説明するための図である。
【図９】電力変換部の構成の一例を説明するための図である。
【発明を実施するための形態】
【００２０】
以下、本発明の実施の形態について、図面を参照しながら詳細に説明する。なお、図中同一または相当部分には同一符号を付してその説明は繰り返さない。
【００２１】
図１は、実施の形態に係る表示装置を説明するための図である。
図１を参照して、電力線４０は、Ｕ線と、Ｏ線と、Ｖ線との３つの線を有する。電力線４０は、単相３線式電力系統である。Ｕ線とＯ線との間（第１相）には、第１の交流電力または交流電流が出力（供給）される。Ｖ線とＯ線との間（第２相）には、第２の交流電力または交流電流が出力される。なお、Ｕ線とＶ線との間にも交流電力が出力される。Ｕ線とＶ線との間に出力される交流電力は、第１の交流電力の電圧および第２の交流電力の電圧よりも大きい。Ｕ線およびＶ線からは、第１の交流電力および第２の交流電力よりも大きな交流電力を取り出すことができる。
【００２２】
Ｕ線、Ｏ線、およびＶ線には、電気機器などが負荷として接続されて使用される。図１に示す例では、Ｕ線およびＯ線（すなわち第１相）には、負荷３１が接続される。Ｖ線およびＯ線（すなわち第２相）には、負荷３２が接続される。Ｕ線およびＶ線には、負荷３３が接続される。各相にどの負荷を接続して使用するかは、たとえばユーザが判断する。
【００２３】
表示装置１０は、単相３線式電力線に関する電力情報を表示する。表示装置１０は、入力部１１と、記憶部１２と、電力情報作成部１３と、表示部１４とを含む。
【００２４】
入力部１１は、第１相に出力された第１の交流電力に関する情報または第１の交流電流に関する情報と、第２相に出力された第２の交流電力に関する情報または第２の交流電流に関する情報とを受ける。具体的に、図１に示す例では、入力部１１には、Ｕ線に設けられた電流センサ２１の検出結果と、Ｖ線に設けられた電流センサ２２の検出結果とが入力される。交流電力に関する情報は、たとえば交流電力の電力値など（以下、単に「交流電力」という場合もある）を含む。交流電流に関する情報は、たとえば交流電流の電流値など（以下、単に「交流電流」という場合もある）を含む。
【００２５】
電流センサ２１は、第１の交流電流を検出する。第１相での交流電圧が定められていれば（たとえば１００Ｖ）、その交流電圧と、第１の交流電流とに基づいて、電流センサ２１は、第１の交流電力を求めることができる。これにより、電流センサ２１は、第１の交流電流を入力部１１に入力するだけでなく、第１の交流電力を入力部１１に入力することもできる。
【００２６】
電流センサ２２は、第２の交流電流を検出する。第２相の交流電力の電圧が定められていれば（たとえば１００Ｖ）、その交流電圧と、第２の交流電流とに基づいて、電流センサ２２は、第２の交流電力を求めることができる。これにより、電流センサ２２は、第２の交流電流を入力部１１に入力するだけでなく、第２の交流電力を入力部１１に入力することもできる。
【００２７】
なお、電流センサ２１および２２に加えて、電圧センサがさらに用いられてもよい。電圧センサによって第１相および第２相の交流電圧を検出することで、第１および第２の交流電力を正確に取得することができる。
【００２８】
記憶部１２は、第１相に出力可能な第１の所定電力と、第２相に出力可能な第２の所定電力とを記憶する。第１の所定電力は、たとえば電力線４０に電力を供給する電力供給源（図示しない）が第１相に出力（供給）可能な電力である。同様に、第２の所定電力は、たとえば電力線４０に電力を供給する電力供給源が第２相に出力可能な電力である。電力供給源は、たとえば後述のパワーコンディショナである。
【００２９】
記憶部１２は、第１の所定電力に対応する第１の所定電流を記憶してもよい。第１相の交流電力の電圧が定められていれば、第１の所定電流は、その電圧と第１の所定電力とに基づいて求められる。記憶部１２は、第２の所定電力に対応する第２の所定電流を記憶してもよい。第２相の交流電力の電圧が定められていれば、第２の所定電流は、その電圧と第２の所定電力とに基づいて求められる。
【００３０】
電力情報作成部１３は、記憶部１２に記憶された情報を読取可能に構成されるとともに、その情報を用いて種々の演算を行うことができる。電力情報作成部１３は、第１の交流電力または第１の交流電流と、第２の交流電力または第２の交流電流と、第１の所定電力または第１の所定電流と、第２の所定電力または第２の所定電流とから、電力情報を作成する。電力情報は、単相３線式電力線に関する情報を含む。たとえば、電力情報は、第１の所定電力と第１の交流電力との比較結果と、第２の所定電力と第２の交流電力との比較結果とを含む。電力情報は、第１の所定電流と第１の交流電流との比較結果と、第２の所定電流と第２の交流電流との比較結果とを含んでもよい。電力情報作成部１３が作成した電力情報は、表示部１４に送信される。なお、電力情報作成部１３の機能は、たとえば、ソフトウエア処理によって実現されてもよいし、専用のハードウェアを用いて実現されてもよい。
【００３１】
表示部１４は、電力情報作成部１３が作成した電力情報を表示する。
ユーザは、表示部１４に表示された電力情報を参考とすることで、第１相および第２相にどのような負荷を接続して使用すべきかを判断することができる。たとえば、電力線４０にさらに出力可能な電力に応じて、ユーザは、第１相（すなわちＵ線およびＯ線）に負荷を追加して接続することができる。第２相にさらに出力可能な電力に応じて、ユーザは、第２相（すなわちＶ線およびＯ線）に負荷を追加して接続することができる。
【００３２】
電力線４０は、パワーコンディショナに接続される場合がある。表示装置１０は、そのようなパワーコンディショナに用いることができる。表示装置１０およびパワーコンディショナによって、パワーコンディショニングシステムが構成されてもよい。
【００３３】
図２は、パワーコンディショナに用いられる表示装置１０、およびパワーコンディショニングシステムを説明するための図である。図２を参照して、電力線４０は、パワーコンディショナ２００に接続される。表示装置１０およびパワーコンディショナ２００は、パワーコンディショニングシステム１の一部を構成する。パワーコンディショニングシステム１は、表示装置１０およびパワーコンディショナ２００に加えて、直流電源装置１００と、負荷群３００，４００と、交流電力系統５００とを含む。
【００３４】
パワーコンディショナ２００は、直流電源装置１００からの直流電力を、第１相の交流電力（第１の交流電力）および第２相の交流電力（第２の交流電力）に変換して、負荷群３００，４００に供給（出力）する。負荷群３００，４００には、交流電力系統５００からの単相３線式電力線の交流電力も供給される。
【００３５】
パワーコンディショナ２００は、交流電力系統５００と連系して負荷群３００，４００に交流電力を供給することができる（連系運転）。連系運転時の交流電力の周波数は商用周波数（たとえば５０Ｈｚまたは６０Ｈｚ）である。なお、連系運転においては、パワーコンディショナ２００から交流電力系統５００に電力が逆潮流されてもよい。
【００３６】
連系運転に替えて、パワーコンディショナ２００は、交流電力系統５００から自立して負荷群３００，４００に交流電力を供給することもできる（自立運転）。自立運転時の交流電力の周波数は、たとえば商用周波数に近い周波数となるように制御される。自立運転時には、交流電力系統５００と、負荷群３００および負荷群４００とは、図示しないリレーまたはブレーカなどによって電気的に切離されてもよい。
【００３７】
直流電源装置１００は、直流電力を発生させる。直流電源装置１００は、いずれも図示しない、太陽電池、二次電池（蓄電池）、燃料電池などを含んで構成される。
【００３８】
パワーコンディショナ２００は、端子２０１〜２０５を含む。端子２０４および端子２０５には、直流電源装置１００からの直流電力が入力される。端子２０４および端子２０５に入力された直流電力は、単相３線式の交流電力に変換されて、端子２０１〜２０３に出力される。たとえば、端子２０１と端子２０２との間には、電圧が１００Ｖの交流電力が出力される。端子２０３と端子２０２との間には、電圧が１００Ｖの交流電力が出力される。端子２０１と端子２０３との間には、電圧が２００Ｖの交流電力が出力される。パワーコンディショナの詳細については、後に図３を参照してさらに説明する。
【００３９】
端子２０１には、Ｕ線が接続される。端子２０２には、Ｏ線が接続される。端子２０３には、Ｖ線が接続される。Ｕ線とＯ線との間、すなわち第１相を、以後「Ｕ相」と称して図示する。Ｖ線とＯ線との間、すなわち第２相を、以後「Ｖ相」と称して図示する。
【００４０】
負荷群３００は、Ｕ相に接続される。負荷群３００は、複数の負荷、たとえば負荷３１０、負荷３２０などを含んで構成されてもよい。負荷３１０および負荷３２０は、Ｕ相の交流電力を消費する。負荷３１０および負荷３２０などは、たとえば種々の電気機器（または電気器機）である。どのような電気器機を用いるかは、たとえばユーザが判断する。
【００４１】
負荷群４００は、Ｖ相に接続される。負荷群４００は、複数の負荷、たとえば負荷４１０、負荷４２０などを含んで構成されてもよい。負荷４１０および負荷４２０は、Ｖ相の交流電力を消費する。負荷４１０および負荷４２０などは、たとえば種々の電気機器（または電気器機）である。どのような電気器機を用いるかは、たとえばユーザが決定する。
【００４２】
Ｕ相とＶ相にはいずれも１００Ｖの交流電力が供給されるため、たとえば、負荷３１０および負荷３２０をＶ相に接続して使用することもできるし、負荷４１０および負荷４２０をＵ相に接続して使用することもできる。
【００４３】
交流電力系統５００は、Ｕ線、Ｏ線およびＶ線、すなわちＵ相およびＶ相に接続される。交流電力系統５００は、負荷群３００および負荷群４００に交流電力を供給する。
【００４４】
パワーコンディショナ２００と負荷群３００，４００との間のＯ線には、リレーＲＬが設けられてもよい。たとえば、リレーＲＬが閉状態とされると、パワーコンディショナ２００は、Ｕ線，Ｖ線およびＯ線の３線を介して交流電力網５００と連系運転することができる（単相３線式での連系運転）。一方、リレーＲＬが開状態とされると、パワーコンディショナ２００は、Ｕ線およびＶ線によって（すなわちＯ線を除く）の２線を介して交流電力系統５００と連系運転することができる（単相２線式での連系運転）。
【００４５】
パワーコンディショナ２００では、パワーコンディショナ２００が出力可能な交流電力の上限が設定される。実施の形態において、端子２０１および端子２０２から出力可能な電力、すなわちパワーコンディショナ２００がＵ相に供給可能な電力の上限を「定格電力Ｐｔｈ１」と称する。端子２０３および端子２０２から出力可能な電力、すなわちパワーコンディショナ２００がＶ相に供給可能な電力の上限を「定格電力Ｐｔｈ２」と称する。また、端子２０１および端子２０３から出力可能な電力、すなわちパワーコンディショナ２００がＵ線とＶ線との間に供給可能な電力の上限を「定格電力Ｐｔｈ３」と称する。
【００４６】
定格電力Ｐｔｈ１〜Ｐｔｈ３は、たとえばパワーコンディショナ２００の動作状態に基づいて適宜設定され得る。定格電力Ｐｔｈ１と定格電力Ｐｔｈ２とは、たとえば同じ大きさに設定されてもよい。定格電力Ｐｔｈ１および定格電力Ｐｔｈ２は、ユーザによって任意に設定されてもよい。
【００４７】
停電時でない場合、パワーコンディショナ２００は、たとえば単相２線式で連系運転を行なうことができる。単相２線式での連系運転時には、パワーコンディショナ２００の定格電力として、たとえば定格電力Ｐｔｈ３が設定される。
【００４８】
単相２線方式での連系運転時、パワーコンディショナ２００は、交流電力系統５００と連系して負荷群３００および負荷群４００に電力を供給する。たとえば、負荷群３００，４００の消費電力が定格電力Ｐｔｈ３以下の場合、負荷群３００，４００で消費される電力は、パワーコンディショナ２００からの電力のみによって賄われる。一方、負荷群３００，４００の消費電力が定格電力Ｐｔｈ３を上回る場合、負荷群３００，４００で消費される電力は、パワーコンディショナ２００および交流電力系統５００からの電力によって賄われる。
【００４９】
電時でない場合、パワーコンディショナ２００は、単相３線式で連系運転を行なってもよい。単相３線式での連系運転時、たとえば、負荷群３００の消費電力が定格電力Ｐｔｈ１以下の場合、負荷群３００で消費される電力は、パワーコンディショナ２００がＵ相に供給する電力のみによって賄われる。一方、負荷群３００の消費電力が定格電力Ｐｔｈ１を上回る場合、負荷群３００で消費される電力は、パワーコンディショナ２００および交流電力系統５００がＵ相に供給する電力によって賄われる。
【００５０】
同様に、単相３線式での連系運転時には、負荷群４００の消費電力が定格電力Ｐｔｈ２以下の場合、負荷群４００で消費される電力は、パワーコンディショナ２００がＵ相に供給する電力のみによって賄われる。一方、負荷群４００の消費電力が定格電力Ｐｔｈ２を上回る場合、負荷群４００で消費される電力は、パワーコンディショナ２００および交流電力系統５００がＵ相に供給する電力によって賄われる。
【００５１】
なお、停電時でない場合に、パワーコンディショナ２００は、交流電力系統５００と必ずしも連系運転を行う必要はない。たとえば、パワーコンディショナ２００は、交流電力系統５００からの電力を取込み（電力会社から電力を購入し）、その電力によって内部の二次電池を充電してもよい。電力会社から購入する電力（購入電力）は、たとえば、電流センサ２３１，２３２によって検出されてもよく、パワーコンディショナ２００の内部に設けられた電流センサなど（図２には図示しない）によって検出されてもよい。パワーコンディショナ２００の内部に設けられた電流センサとは、たとえば後述の図３に示す電流センサ２３１および２３２などである。
【００５２】
交流電力系統５００からの電力が利用できなくなった場合（たとえば停電時）、パワーコンディショナ２００は自立運転を行ない、負荷群３００および負荷群４００に交流電力を供給する。
【００５３】
自立運転時、たとえば、負荷群３００の消費電力が定格電力Ｐｔｈ１を上回ると、Ｕ相の交流電力が不足して電圧低下などが発生し、負荷群３００に含まれる負荷（負荷３１０および負荷３２０など）が動作しなくなるおそれがある。あるいは、パワーコンディショナ２００が、内部の部品（トランジスタ等）の定格電流を超える電流が流れることを防止するため、エラー動作となって停止する。Ｕ相の交流電力の電圧が低下することによっても、パワーコンディショナ２００は、エラー動作となって停止する。
【００５４】
同様に、負荷群４００の消費電力が定格電力Ｐｔｈ２を上回ると、Ｖ相の交流電力が不足して電圧低下などが発生し、負荷群４００に含まれる負荷（負荷４１０および負荷４２０など）が動作しなくなるおそれがある。あるいは、パワーコンディショナ２００がエラー動作となって停止する。
【００５５】
このような問題を防ぐには、負荷群３００に含まれる負荷および負荷群４００に含まれる負荷が適切に選択されなければならない。すなわち、自立運転時、ユーザは、Ｕ相に接続されて使用される負荷（負荷３１０および負荷３２０など）と、Ｖ相に接続されて使用される負荷（負荷４１０および負荷４２０など）とを適切に選択しなければならない。負荷を適切に選択するとは、たとえば、Ｕ相に接続された負荷（負荷群３００）で消費される電力が定格電力Ｐｔｈ１を上回らず、Ｖ相に接続された負荷（負荷群４００）で消費される電力が定格電力Ｐｔｈ２を上回らず、かつ、ユーザが使用したい負荷のうち出来る限り多くの負荷がＵ相またはＶ相に接続されて使用されている状態である。このような状態は、パワーコンディショナ２００の出力性能が最大限に（充分に）発揮された状態であると言える。
【００５６】
そこで、表示装置１０および電流センサ２１，２２および／または電圧センサが用いられる。表示装置１０および電流センサ２１，２２および電圧センサに関して、先に図１を参照して説明した内容については、ここでは説明を繰り返さない。
【００５７】
図２を参照して、電流センサ２１が、端子２０１と負荷群３００との間に設けられる。電流センサ２２が、端子２０３と負荷群４００との間に設けられる。表示装置１０と、パワーコンディショナ２００とは、通信可能とされてもよい。図２に示す例では、通信によってパワーコンディショナ２００から送られる種々の情報が、表示装置１０の入力部１１に入力される。これにより、表示装置１０は、たとえば、パワーコンディショナ２００の運転状態（自立運転または連系運転）に関する情報なども取得できる。
【００５８】
ユーザは、表示装置１０の表示部１４に表示される電力情報を参考に、どのような負荷をＵ相に接続して使用し（負荷群３００に含め）、どのような負荷をＶ相に接続して使用する（負荷群４００に含める）か判断できる。
【００５９】
記憶部１２は、パワーコンディショナ２００がＵ相に出力可能な交流電力を、第１の所定電力として記憶する。記憶部１２は、パワーコンディショナ２００がＶ相に出力可能な交流電力を、第２の所定電力として記憶する。電力情報作成部１３は、Ｕ相の交流電力または交流電流と、Ｖ相の交流電力または交流電流と、第１の所定電力と、第２の所定電力とから、電力情報を作成する。電力情報は、第１の所定電力とＵ相の交流電力との比較結果と、第２の所定電力とＶ相の交流電力との比較結果とを含む。表示部１４は、電力情報を表示する。
【００６０】
具体的に、表示部１４は、上述の定格電力Ｐｔｈ１と、パワーコンディショナ２００がＵ相に出力している電力（出力中の電力）との比較結果を表示する。また、表示部１４は、上述の定格電力Ｐｔｈ２と、パワーコンディショナ２００がＶ相に出力中の電力との比較結果を表示する。
【００６１】
比較結果は、たとえば、定格電力Ｐｔｈ１に対するＵ相に出力中の電力の比率（Ｕ相の電力使用率）と、定格電力Ｐｔｈ２に対するＶ相に出力中の電力の比率（Ｖ相の電力使用率）とを含んでもよい。これにより、ユーザは、たとえば、Ｕ相およびＶ相のうち電力使用率の低い方の相に負荷を接続して使用すべきと判断できる。このような判断を行なうことで、パワーコンディショナ２００の出力性能が最大限に（充分に）発揮された状態にされ得る。
【００６２】
あるいは、比較結果は、たとえば、定格電力Ｐｔｈ１からＵ相に出力中の電力を差引いた値（Ｖ相の電力余力）と、定格電力Ｐｔｈ２からＶ相に出力の電力を差引いた値（Ｕ相の電力余力）とを含んでもよい。これにより、ユーザは、たとえば、Ｕ相およびＶ相のうち電力余力の大きい相に負荷を接続して使用すべきと判断できる。これにより、パワーコンディショナ２００の出力性能が最大限に（充分に）発揮された状態にされ得る。
【００６３】
表示部１４は、自立運転時のみに電力情報を表示してもよいし、連系運転時および自立運転時のいずれにおいても電力情報を表示してもよい。なお、比較結果を表示する際は、数値化された比較結果だけでなく、グラフなどを用いて比較結果を時系列で示してもよい。また、表示部１４に表示される情報は、各負荷に供給されている電流の電流波形や、過電流あるいは電流ピーク値であってもよい。このような情報が、数値化された比較結果と同時に表示部１４に表示されることで、ユーザはより効率的に使用負荷を選択することができる。
【００６４】
定格電力Ｐｔｈ１は、連系運転時と自立運転時とで異なる値に設定されてもよい。定格電力Ｐｔｈ２は、連系運転時と自立運転時とで異なる値に設定されてもよい。たとえば、定格電力Ｐｔｈ１および定格電力Ｐｔｈ２は、自立運転時には、連系運転時よりも低く設定されてもよい。これにより、自立運転時にパワーコンディショナ２００が出力可能な交流電力を抑え、自立運転の運転時間を長くすることができる。
【００６５】
図３は、実施の形態において実行される処理の一例を説明するためのフローチャートである。このフローチャートの処理は、たとえば図２に示す表示装置１０によって実行される。このフローチャートの処理は、パワーコンディショナ２００および表示装置１０の協働によって実行されてもよい。
【００６６】
図２および図３を参照して、はじめに、ステップＳ１１において、パワーコンディショナ２００が自立運転を行なっているか否かが判断される。自立運転が行なわれている場合（ステップＳ１１でＹＥＳ）、ステップＳ１２に処理が進められる。そうでない場合（ステップＳ１１でＮＯ）、ステップＳ１３に処理が進められる。
【００６７】
ステップＳ１２において、パワーコンディショナ２００のＵ相の定格電力Ｐｔｈ１は、自立運転における定格電力（「Ｐ１１」として図示する）に設定される。パワーコンディショナ２００のＶ相の定格電力Ｐｔｈ２は、自立運転における定格電力（「Ｐ２１」として図示する）に設定される。
【００６８】
ステップＳ１３において、連系運転が行なわれていると判断され、ステップＳ１４に処理が進められる。
【００６９】
ステップＳ１４において、定格電力Ｐｔｈ１は、連系運転における定格電力（「Ｐ１２」として図示する）に設定される。定格電力Ｐｔｈ２は、連系運転における定格電力（Ｐ２２」として図示する）に設定される。
【００７０】
ステップＳ１５において、パワーコンディショナ２００がＵ相に出力中の電力（「Ｐｕ」として図示する）および、パワーコンディショナ２００がＶ相に出力中の電力（「Ｐｖ」として図示する）とが取得される。この取得は、たとえば入力部１１および電流センサ２１，２２を用いて行なわれる。たとえば、電流センサ２１，２２が検出する電流値と、予め分かっているＵ相およびＶ相の電圧（たとえば１００Ｖ）とを乗ずることで、ＰｕおよびＰｖは計算される。その後、ステップＳ１６に処理が進められる。
【００７１】
ステップＳ１６において、定格電力Ｐｔｈ１に対するＵ相に出力中の電力の比率、すなわちＵ相の電力使用率（「Ｐｕｒａｔｅ」として図示する）が、Ｐｕｒａｔｅ＝Ｐｕ／Ｐｔｈ１として算出される。定格電力Ｐｔｈ２に対するＶ相に出力中の電力の比率、すなわちＶ相の電力使用率（「Ｐｖｒａｔｅ」として図示する）が、Ｐｖｒａｔｅ＝Ｐｖ／Ｐｔｈ２として算出される。その後、ステップＳ１７に処理が進められる。
【００７２】
ステップＳ１７において、表示部１４に、Ｕ相に出力中の電力Ｐｕ（Ｗ）と、Ｕ相の電力使用率Ｐｕｒａｔｅ（％）と、Ｖ相に出力中の電力Ｐｖ（Ｗ）と、Ｖ相の電力使用率Ｐｖｒａｔｅ（％）とが表示される。その後、フローチャートの処理は終了する。
【００７３】
図３に示すフローチャートによれば、表示部１４の表示（ステップＳ１７）を参考にすることで、ユーザは、使用したい負荷をＵ相（パワーコンディショナ２００の端子２０１および端子２０３）あるいはＶ相（端子２０３および端子２０２）に接続して使用するか否かといったことを判断できる。これにより、パワーコンディショナ２００の出力性能が最大限に発揮された状態となり得る。
【００７４】
［変形例１］
再び図２を参照して、表示部１４は、警告を表示してもよい。具体的に、パワーコンディショナ２００がＵ相に出力中の交流電力が定格電力Ｐｔｈ１を上回る場合、その旨を表す警告を、表示部１４は表示する。パワーコンディショナ２００がＶ相に出力中の交流電力が定格電力Ｐｔｈ２を上回る場合、その旨を表す警告を、表示部１４は表示する。表示部１４の表示に必要な情報は、電力情報作成部１３が作成する。以降に説明する各変形例においても同様である。
【００７５】
図４は、変形例１において実行される処理の一例を説明するためのフローチャートである。図４に示すステップＳ２１〜Ｓ２６の内容は、図３に示すステップＳ１１〜Ｓ１６と同じ内容であるため、ここでは説明を繰り返さない。
【００７６】
図２および図４を参照して、ステップＳ２７において、Ｕ相に出力中の電力Ｐｕが定格電力Ｐｔｈ１未満であるか否かが判断される。ＰｕがＰｔｈ１未満の場合（ステップＳ２７でＹＥＳ）、ステップＳ２８に処理が進められる。そうでない場合（ステップＳ２７でＮＯ）、ステップＳ３１に処理が進められる。
【００７７】
ステップＳ２８において、Ｖ相に出力中の電力Ｐｖが定格電力Ｐｔｈ２未満であるか否かが判断される。ＰｖがＰｔｈ２未満の場合（ステップＳ２８でＹＥＳ）、ステップＳ２９に処理が進められる。そうでない場合（ステップＳ２８でＮＯ）、ステップＳ３０に処理が進められる。
【００７８】
ステップＳ２９において、表示部１４に、Ｕ相に出力中の電力Ｐｕ（Ｗ）と、Ｕ相の電力使用率Ｐｕｒａｔｅ（％）と、Ｖ相に出力中の電力Ｐｖ（Ｗ）と、Ｖ相の電力使用率Ｐｖｒａｔｅ（％）とが表示される。以後、説明の便宜上、このようなステップＳ２９の表示を「基本表示」と称する。
【００７９】
ステップＳ３０において、表示部１４は、基本表示に加えて、Ｖ相の消費電力は上限を超える旨を表示する。
【００８０】
ステップＳ３１において、Ｖ相に出力中の電力Ｐｖが定格電力Ｐｔｈ２未満であるか否かが判断される。ＰｖがＰｔｈ２未満の場合（ステップＳ３１でＹＥＳ）、ステップＳ３２に処理が進められる。そうでない場合（ステップＳ３１でＮＯ）、ステップＳ３３に処理が進められる。
【００８１】
ステップＳ３２において、表示部１４は、基本表示に加えて、Ｕ相の消費電力は上限を超える旨を表示する。
【００８２】
ステップＳ３３において、表示部１４は、基本表示に加えて、Ｕ相の消費電力は上限を超える旨およびＶ相の消費電力が上限を超える旨を表示する。
【００８３】
ステップＳ２９，Ｓ３０，Ｓ３２およびＳ３３の処理が完了した後、フローチャートは終了する。
【００８４】
図４のフローチャートによれば、Ｕ相およびＶ相のそれぞれについて、消費電力が定格電力を上回ると警告が表示されるため、その警告の表示を参考に、ユーザは、適切な対応、たとえば、負荷の使用を止めるなどの対応を行なうことができる。
【００８５】
［変形例２］
再び図２を参照して、表示部１４は、負荷（負荷３１０など）に関する情報を表示してもよい。具体的に、Ｕ相の電力余力（定格電力Ｐｔｈ１からＵ相に出力中の電力を差引いた値）以下の電力を消費電力とする負荷、すなわちＵ相に接続して使用できる負荷を、表示部１４は表示する。あるいは、Ｕ相の電力余力に対応する電流以下の電流を消費電流とする負荷を、表示部１４は、表示してもよい。Ｕ相の電力余力に対応する電流は、たとえば、Ｕ相の電力余力をＵ相の電圧で除することによって求められる。また、Ｖ相の電力余力（定格電力Ｐｔｈ２からＶ相に出力中の電力を差引いた値）以下の電力を消費電力とする負荷、すなわちＶ相に接続して使用できる負荷を、表示部１４は表示する。あるいは、Ｖ相の電力余力に対応する電流以下の電流を消費電流とする負荷を、表示部１４は、表示してもよい。Ｖ相の電力余力に対応する電流は、たとえば、Ｖ相の電力余力をＶ相の電圧で除することによって求められる。
【００８６】
このような表示部１４の表示動作に対応して、記憶部１２には、ユーザがパワーコンディショナ２００に接続して使用しようとする負荷に関する情報が記憶されてもよい。負荷に関する情報は、たとえば負荷の名称（電気器機などの名称）、消費電力の大きさ、負荷使用時の電流ピーク値、電流波形などを含む。なお、ユーザがパワーコンディショナ２００に接続して使用しようとする負荷に関する情報でなく、その負荷（たとえば扇風機やテレビなど）の一般的な（平均的な）消費電力情報が、データベースとして記憶部１２に記憶されてもよい。
【００８７】
図５は、変形例２において表示部１４が表示する内容を説明するための図である。
図５に示すように、表示部１４には、たとえば、Ｕ相に関して、パワーコンディショナ２００がＵ相に出力中の電力（「電力Ｐｕ」として図示する）と、Ｕ相の電力使用率（「使用率Ｐｕｒａｔｅ」として図示する）と、Ｕ相に接続して使用できる機器（「使用可能機器」として図示する）とが表示される。図中に示される記号「＃＃」は、任意の数値を表す。使用可能機器として、ここでは、たとえば「扇風機」、「テレビ」が表示されている。表示部２５０には、たとえば、Ｖ相に関して、パワーコンディショナ２００がＶ相に出力中の電力（「電力Ｐｖ」として図示する）と、Ｖ相の電力使用率（「使用率Ｐｖｒａｔｅ」として図示する）と、Ｖ相に接続して使用できる器機（「使用可能機器」として図示）とが表示される。使用可能機器として、ここでは、たとえば「扇風機」と、「テレビ」と、「エアコン」と、「ドライヤ」とが表示される。
【００８８】
図５に示すように、Ｕ相およびＶ相においてそれぞれ使用可能な負荷（機器）が表示されることによって、ユーザは、たとえば、Ｕ相およびＶ相にどのような負荷を接続して使用すべきかの判断を容易に行なうことができる。
【００８９】
［変形例３］
電気器機などの負荷には、消費電力の異なる複数の使用状態で使用されるものも少なくない。たとえば、ドライヤは風量および温度設定の状態（使用状態）によって消費電力が異なり、掃除機は吸引量の大きさ（使用状態）によって消費電力が異なる。
【００９０】
再び図２を参照して、表示部１４は、Ｕ相に関して、負荷の複数の使用状態のうち、Ｕ相の電力余力以下の電力を消費電力とする使用状態を表示する。また、表示部１４は、Ｖ相に関して、負荷の複数の使用状態のうちＶ相の電力余力以下の電力を消費電力とする使用状態を表示する。
【００９１】
このような表示部１４の表示動作に対応して、記憶部１２に記憶される、負荷に関する情報には、負荷の使用状態、その使用状態における負荷の消費電力などが含まれる。
【００９２】
図６は、変形例３において表示部１４が表示する内容を説明するための図である。
図６に示すように、表示部１４には、たとえば、Ｕ相に関しては、図５と同様の内容が表示されている。さらに、表示部１４には、たとえば、Ｖ相に関して、使用可能機器として、「扇風機」と、「テレビ」と、「エアコン」と、「ドライヤ（弱）」と、「掃除機（弱）」とが表示されている。
【００９３】
たとえば、Ｖ相において、余力電力（＝Ｐｖ×（１００−Ｐｖｒａｔｅ）／１００）が５００Ｗの場合を考える。ここで、たとえば、掃除機を「強」動作で使用（たとえば掃除機の吸引量を比較的強めに設定して使用）した場合の消費電量は８００Ｗであり、掃除機を「弱」動作で使用（吸引量を比較的弱めに設定して使用）した場合の消費電力は４００Ｗであるとする。その場合、掃除機を「強」動作で使用することはできないが、掃除機を「弱」動作で使用することはできるため、表示部２５０には、「掃除機（弱）」が表示される。なお、掃除機が「弱」動作と「強」動作との他にたとえば「中」動作（吸引量が弱と強の間）でも使用できる掃除機でれば、「掃除機（中）」も表示され得る。
【００９４】
同様に、「ドライヤ（弱）」と表示されているのは、Ｖ相において、ドライヤの「弱」動作で使用（たとえばドライヤの風量を比較的小さいめに設定して使用）できることを表す。
【００９５】
図６に示すように、Ｕ相およびＶ相においてそれぞれ使用可能な負荷の使用状態が表示されることによって、ユーザは、負荷の使用状態をも考慮して、Ｕ相およびＶ相にどのような負荷を接続して使用するか判断できる。これにより、パワーコンディショナ２００（図２）の出力性能が最大限に発揮されやすくなる。
【００９６】
［変形例４］
再び図２を参照して、負荷３１０などに用いられる電気器機には、起動時に突入電流が生じるものもある。そのような負荷は、動作状態が変化するとき、たとえば起動時などに短期間ではあるが大きな電力を消費する。そのため、負荷の突入電流に関する情報、たとえば突入電流が生じる際のその負荷の消費電力も、記憶部１２に記憶されてもよい。
【００９７】
再び図６を参照して、たとえば「掃除機」は、たとえば「弱」動作、「中」動作および「強」動作などのさまざまな動作状態で使用される。掃除機がＯＦＦの状態から「強」動作を開始する場合と、掃除機がＯＦＦの状態から「弱」動作を経て「強」動作を開始する場合とでは、生じる突入電流の大きさが異なる場合もある。たとえば、掃除機がＯＦＦの状態から「強」動作を開始すると突入電流が大きいため使用可能機器に含まれず、掃除機がＯＦＦの状態から「弱」動作を経て「強」動作を開始する場合は突入電力が小さいため使用機器に含まれる場合がある。そのような場合、表示部１４は、たとえば「掃除機を（弱）で起動した後に（強）で使用可能」といった内容を表示するとよい。そのような表示を参考に、ユーザは、掃除機をＯＦＦの状態からまず「弱」で動作させ、その後「強」で動作させるにより、掃除機を使用できる。
【００９８】
また、掃除機がＯＦＦの状態から「強」動作を開始することによる突入電流によって、パワーコンディショナ２００（図２）がエラー動作となって停止した場合でも、その状態で再びパワーコンディショナ２００が動作を開始（たとえば再起動）した場合には、掃除機における突入電流が低減されて、パワーコンディショナ２００がエラー動作とならず、そのまま掃除機を使用できる場合もある。
【００９９】
表示部１４は、たとえば、掃除機を「強」動作に指定した（スイッチをオンにした）状態のままパワーコンディショナ２００が再起動されると（再起動中も表示部１４は動作し得る）、このまま掃除機をパワーコンディショナ２００に接続しておけば掃除機を使用できる可能性がある、旨を表示してもよい。そのような表示を参考にすれば、ユーザが掃除機などの突入電流の大きな負荷を使用できるようになる機会が増える。
【０１００】
［変形例５］
再び図２を参照して、パワーコンディショナ２００がＵ相に出力可能な交流電力およびＶ相に出力可能な交流電力は、直流電源装置１００からパワーコンディショナ２００に送られる直流電力によって制限され得る。たとえば、直流電源装置１００に含まれる蓄電池の残存容量が不足しているときや、直流電源装置１００に含まれる太陽電池が日射不足などにより充分に発電しないときに、この問題が顕在化する。その結果、定格電力Ｐｔｈ１および定格電力Ｐｔｈ２が定められていたとしても、それより小さい電力しかパワーコンディショナ２００はＵ相およびＶ相に交流電力を供給できない場合が起こり得る。
【０１０１】
そこで、表示部１４は、直流電源装置１００の直流電力に基づいて計算された、パワーコンディショナ２００がＵ相に出力可能な交流電力および、パワーコンディショナ２００がＶ相に出力可能な交流電力を表示してもよい。たとえば、直流電源装置１００が出力可能な直流電力から、パワーコンディショナ２００で発生する消費電力と、パワーコンディショナ２００に含まれる電力変換部（後に説明する図７の電力変換部２１０など）での電力変換によって生じる電力損失とを差引いた値を、パワーコンディショナ２００がＵ相およびＶ相に出力可能な交流電力として計算することができる。そのような計算は、たとえば電力情報作成部１３によって行われる。電力変換部直流電源装置１００が出力可能な直流電力に関する情報は、たとえば、直流電源装置１００から入力部１１に送られることによって、電力情報作成部１３に利用される。
【０１０２】
表示部１４の表示を参考にすることで、ユーザは、直流電源装置１００が出力可能な直流電力を考慮して、Ｕ相およびＶ相にどのような負荷を接続して使用するか判断できる。
【０１０３】
なお、表示部１４は、上述のように直流電源装置１００の直流電力に基づいて計算された、パワーコンディショナ２００がＵ相に出力可能な交流電力およびパワーコンディショナ２００がＶ相に出力可能な交流電力を、定格電力Ｐｔｈ１および定格電力Ｐｔｈ２として表示してもよい。
【０１０４】
[変形例６]
パワーコンディショナは、表示装置の機能有するように構成されてもよい。図７は、表示装置の機能を含むパワーコンディショナを説明するための図である。図７を参照して、パワーコンディショナ２００Ａは、パワーコンディショニングシステム１Ａの一部を構成する。パワーコンディショニングシステム１Ａは、パワーコンディショナ２００Ａに加えて、直流電源装置１００と、負荷群３００，４００と、交流電力系統５００とを含む。
【０１０５】
パワーコンディショナ２００Ａは、電力変換部２１０と、端子２０１〜２０５、端子２１１〜２１５と、制御部２２０と、入力部２３０と、電流センサ２３１，２３２と、記憶部２４０と、表示部２５０とを含む。端子２０１〜２０５については、パワーコンディショナ２００（図２）と同様であるため、ここでは説明を繰り返さない。
【０１０６】
直流電源装置１００は、パワーコンディショナ２００Ａと通信可能に構成されてもよい。図７に示す例では、直流電源装置１００からの情報が、パワーコンディショナ２００Ａに入力される。通信を利用して、たとえば直流電源装置１００は、自己が出力可能な直流電力に関する情報を、パワーコンディショナ２００Ａに送ることができる。
【０１０７】
端子２０４および端子２０５には、直流電源装置１００からの直流電力が入力される。端子２０４および端子２０５に入力された直流電力は、端子２１４および端子２１５に供給される。
【０１０８】
電力変換部２１０は、端子２１４および端子２１５に供給された直流電力を交流電力に変換し、端子２１１〜２１３に出力する。端子２１１〜２１３に出力された交流電力は、端子２０１〜２０３に送られる。端子２１１〜２１３に出力される交流電力は、単相３線式の交流電力である。たとえば、端子２１１と端子２１２との間には１００Ｖの交流電力が出力される。端子２１３と端子２１２との間には１００Ｖの交流電力が出力される。端子２１１と端子２１３との間には２００Ｖの交流電力が出力される。なお、電力変換部２１０の構成の一例については、後に図９を参照して説明する。
【０１０９】
制御部２２０は、パワーコンディショナ２００Ａに含まれる各要素を制御可能に構成される。制御は、制御部２２０から各要素への制御信号を用いて行なわれてもよいし、制御部２２０と各要素との間の通信信号を用いて行なわれてもよい。制御部２２０は、各要素を制御することで、パワーコンディショナ２００Ａを制御する。
【０１１０】
制御部２２０は、先に説明した表示装置１０の電力情報作成部１３の機能を有するように構成される。すなわち、制御部２２０は、Ｕ相（第１相）の交流電力あるいは交流電流と、Ｖ相（第２相）の交流力あるいは交流電流と、第１の所定電力（あるいは第１の所定電流）と第２の所定電力（あるいは第１の所定電流）とから電力情報を作成することもできる。
【０１１１】
電流センサ２３１は、たとえば端子２１１と端子２０１との間の電流（または電力）を検出する。電流センサ２３２は、たとえば端子２１３と端子２０３と間の電流（または電力）を検出する。
【０１１２】
入力部２３０は、先に図１を参照して説明した表示装置１０の入力部１１と同様の機能を含む。たとえば、入力部２３０には、電流センサ２３１，２３２の検出結果が入力される。
【０１１３】
記憶部２４０は、種々の情報を記憶する。制御部２２０は、必要に応じて、記憶部２４０に記憶された情報を利用して、パワーコンディショナ２００Ａの制御を行なう。記憶部２４０は、先に図１を参照して説明した表示装置１０の記憶部１２と同様の機能を含む。たとえば、記憶部２４０は、パワーコンディショナ２００ＡがＵ相に出力可能な第１の所定電力と、パワーコンディショナ２００ＡがＶ相に出力可能な第２の所定電力とを記憶する。
【０１１４】
表示部２５０は、種々の情報を表示する。たとえば、パワーコンディショナ２００Ａのユーザ（以下、単に「ユーザ」と言う場合もある）は、表示部２５０に表示された情報を確認することができる。出力性能表示部２５０は、ユーザからの入力を受付け可能に構成されてもよい。表示部２５０は、先に図１を参照して説明した表示装置１０の表示部１４と同様の機能を含む。たとえば、表示部２５０は、制御部２２０が作成した電力情報を表示する。これにより、ユーザは、Ｕ相およびＶ相に適切な負荷を接続して使用できる。したがって、パワーコンディショナ２００Ａの出力性能が最大限に発揮される。
【０１１５】
［変形例７］
図７に示すパワーコンディショナ２００Ａは、表示部２５０を含まずに構成されてもよい。
【０１１６】
図８は、表示部を含まずに構成されるパワーコンディショナを説明するための図である。図８を参照して、パワーコンディショナ２００Ｂおよび表示部６００（後述）は、パワーコンディショニングシステム１Ｂの一部を構成する。パワーコンディショニングシステム１Ｂは、パワーコンディショナ２００Ｂおよび表示部６００に加えて、直流電源装置１００と、負荷群３００，４００と、交流電力系統５００とを含む。
【０１１７】
パワーコンディショナ２００Ｂは、電力変換部２１０と、端子２０１〜２０５、端子２１１〜２１５と、制御部２２０Ａと、入力部２３０と、電流センサ２３１，２３２と、記憶部２４０と、通信部２６０と、端子２６１とを含む。端子２０１〜２０５、端子２１１〜２１５と、入力部２３０と、電流センサ２３１，２３２と、記憶部２４０とは、パワーコンディショナ２００Ａ（図７）と同様であるため、ここでは説明を繰り返さない。
【０１１８】
制御部２２０Ａは、パワーコンディショナ２００Ｂに含まれる各要素を制御可能に構成される。制御は、制御部２２０Ａから各要素への制御信号を用いて行なわれてもよいし、制御部２２０Ａと各要素との間の通信信号を用いて行なわれてもよい。制御部２２０Ａは、各要素を制御することで、パワーコンディショナ２００Ｂを制御する。
【０１１９】
通信部２６０は、パワーコンディショナ２００Ｂの外部と通信を行なうために用いられる。通信は、たとえば通信信号を用いて行なわれる。
【０１２０】
端子２６１は、通信部２６０と、パワーコンディショナ２００Ｂの外部との間の通信のために用いられる。端子２６１には、たとえば通信ケーブル（図示しない）が接続される。通信が無線で行なわれる場合は、端子２６１には、たとえばアンテナ（図示しない）が接続されてもよい。
【０１２１】
表示部６００は、パワーコンディショナ２００Ｂの外部に設けられる。表示部６００は、端子２６１を介して、パワーコンディショナ２００Ｂの通信部２６０と通信可能に構成される。表示部６００は、通信部２６０からのデータを受けて、その内容を表示する。このように、表示部６００は、パワーコンディショナ２００Ｂと独立して設けらてもよい。表示部６００としては、たとえば、パワーコンディショナ２００Ｂを制御するリモートコントロール機器に供えられた表示部、ユーザが携帯するスマートフォンや携帯電話などのモバイル端末およびタブレット端末、あるいは、テレビやモニタなどの表示装置が挙げられる。
【０１２２】
表示部６００が表示する内容は、先に図２などを参照して説明した表示部１４が表示する内容を含む。具体的に、たとえば、図３のステップＳ１７、図４のステップＳ２９，Ｓ３０，Ｓ３２，Ｓ３３、図５の表示部１４の表示内容、および図６の表示部１４の表示内容に対応したデータが、通信部２６０から表示部６００に送信される。
【０１２３】
図８に示すように、表示部６００をパワーコンディショナ２００Ｂの外部に設ける構成とすれば、たとえばパワーコンディショナ２００Ｂから離れた場所に表示部６００を設けることが可能になる。これによりユーザは、表示部６００が表示する内容を確認して、遠方からパワーコンディショナ２００Ｂの状態を確認することもできる。
［電力変換部の構成例］
図９は、図７および図８に示す電力変換部２１０の構成の一例を説明するための図である。
【０１２４】
図９を参照して、電力変換部２１０は、端子２１１〜端子２１５と、トランジスタＱ１〜Ｑ６と、制御端子Ｔ１〜Ｔ６と、コンデンサＣ１〜Ｃ４と、インダクタＬ１およびインダクタＬ２とを含む。
【０１２５】
端子２１４および端子２１５には、端子２１４がプラス側の電圧となり、端子２１５がマイナス側の電圧となるように、直流電力が入力される。
【０１２６】
トランジスタＱ５およびトランジスタＱ６は、端子２１４と端子２１５との間を分圧するようにスイッチング動作を行なう。トランジスタＱ５とトランジスタＱ６との接続点は、中性点として端子２１２に接続される。なお、スイッチング動作は、たとえば、トランジスタＱ５，Ｑ６の制御端子Ｔ５，Ｔ６に制御信号が供給されることによって行なわれる。制御信号は、電力変換部２１０の外部（たとえば図７の制御部２２０）から供給される。
【０１２７】
トランジスタＱ１〜Ｑ４は、インバータブリッジ回路を構成する。インバータブリッジ回路は、たとえばＰＷＭ（Pulse  Width  Modulation）制御などの種々の公知の制御方式によって制御される。トランジスタＱ１〜Ｑ４の制御端子Ｔ１〜Ｔ４には、電力変換部２１０の外部からの制御信号が供給される。
【０１２８】
トランジスタＱ１とトランジスタＱ２との接続点は、インダクタＬ１を介して端子２１１に接続される。
【０１２９】
トランジスタＱ３とトランジスタＱ４との接続点は、インダクタＬ２を介して端子２１３に接続される。
【０１３０】
インダクタＬ１およびインダクタＬ２と、コンデンサＣ３およびコンデンサＣ４とは、フィルタ回路を構成する。
【０１３１】
電力変換部２１０において、たとえば、端子２１１と端子２１２との間に１００Ｖの交流電圧が発生するように、トランジスタＱ１，Ｑ２が制御される。端子２１３と端子２１２との間に１００Ｖ交流電圧が発生するように、トランジスタＱ３，Ｑ４が制御される。
【０１３２】
したがって、電力変換部２１０は、単相３線式の交流電力を発生させることができる。
最後に、本発明の実施の形態について総括する。図１を参照して、表示装置１０は、入力部１１と、記憶部１２と、電力情報作成部１３と、表示部１４とを備える。入力部１１は、単相３線式電力線（電力線４０）の第１相（Ｕ相）に出力された第１の交流電力に関する情報または第１の交流電流に関する情報と、単相３線式電力線（電力線４０）の第２相（Ｖ相）に出力された第２の交流電力に関する情報または第２の交流電流に関する情報とを受ける。記憶部１２は、第１相に出力可能な第１の所定電力と、第２相に出力可能な第２の所定電力とを記憶する。電力情報作成部１３は、入力部１１が受けた第１の交流電力に関する情報または第１の交流電流に関する情報と、第２の交流電力に関する情報または第２の交流電流に関する情報と、第１の所定電力と第２の所定電力から電力情報を作成する。表示部１４は、電力情報を表示する。電力情報は、第１の所定電力と第１の交流電力との比較結果と、第２の所定電力と第２の交流電力との比較結果と、を含む。
【０１３３】
表示部１４は、第１相に出力可能な第１の所定電力と第１の交流電力との比較結果と、第２相に出力可能な第２の所定電力と第２の交流電力との比較結果とを含む電力情報を表示する。この電力情報を参考にすれば、たとえばユーザは、第１相（Ｕ相）および第２相（Ｖ相）にどのような負荷を接続して使用すべきか判断できる。
【０１３４】
表示装置１０は、たとえば図２に示すように、パワーコンディショナ２００に用いられる。パワーコンディショナ２００は、直流電力を単相３線式電力線（電力線４０）の交流電力に変換する。
【０１３５】
好ましくは、パワーコンディショナ２００は、交流電力系統５００と連系して動作する連系運転と、交流電力系統から自立して動作する自立運転とを実行可能に構成される。表示部１４は、連系運転および自立運転のいずれにおいても、電力情報を表示する。
【０１３６】
好ましくは、図３に示すように、第１の所定電力（定格電力Ｐｔｈ１）は、連系運転と自立運転とでは異なる値に設定される。第２の所定電力（定格電力Ｐｔｈ２）は、連系運転と自立運転とでは異なる値に設定される（ステップＳ１１〜Ｓ１４）。
【０１３７】
これにより、たとえば、ユーザは、連系運転時に使用している負荷が、自立運転時には使用できなくなることを予め知ることができる。その結果、ユーザはさまざまな対応、たとえば他の負荷の使用をやめてその負荷を使用するための電力を確保するなどの対応を行なうことができる。
【０１３８】
好ましくは、図４に示すように、表示部１４は、出力中の第１の交流電力（Ｕ相の交流電力）が第１の所定電力（定格電力Ｐｔｈ１）を上回る場合、第１の警告（ステップＳ３２，Ｓ３３中の「Ｕ相の消費電力は所定値を超えています」）を表示する。表示部２５０は、出力中の第２の交流電力（Ｖ相の交流電力）が第の２所定電力（定格電力Ｐｔｈ２）を上回る場合、第２の警告（ステップＳ３０，Ｓ３３中の「Ｖ相の消費電力は所定値を超えています」）を表示する。
【０１３９】
これにより、たとえば、ユーザは表示部１４に表示される警告に基づいて、たとえば、負荷の使用を止めるなどの対応を行なうことができる。
【０１４０】
好ましくは、表示装置１０は、第１の交流電力（Ｕ相の交流電力）または第２の交流電力（Ｖ相の交流電力）が供給される複数の負荷（負荷３１０，３２０，４１０，４２０）と、複数の負荷（負荷３１０，３２０，４１０，４２０）の各々の消費電力または消費電流とに関する負荷情報が予め記憶された記憶部１２をさらに備える。表示部１４は、図５に示すように、複数の負荷のうち、第１の所定電力（定格電力Ｐｔｈ１）から、出力中の第１の交流電力（Ｕ相の交流電力）を差引いた電力以下の電力を消費電力とする、または第１の交流電力を差引いた電力以下の電力に対応する電流を消費電流とする負荷（「扇風機、テレビ」など）を表示する。表示部は、複数の負荷のうち、第２の所定電力（定格電力Ｐｔｈ２）から、出力中の第２の交流電力（Ｖ相の交流電力）を差引いた電力以下の電力を消費電力とする、または第２の交流電力を差引いた電力以下の電力に対応する電流を消費電流とする負荷（「扇風機、テレビ、エアコン、ドライヤ」など）を表示する。
【０１４１】
これにより、ユーザは、たとえばＵ相およびＶ相にどのような負荷を接続して使用すべきかの判断を容易に行なう事ができる。
【０１４２】
好ましくは、負荷（負荷３１０，３２０，４１０，４２０など）は、消費電力の異なる複数の使用状態で使用される。表示部１４は、図６に示すように、複数の使用状態のうち、第１の所定電力（定格電力Ｐｔｈ１）から、出力中の第１の交流電力（Ｕ相の交流電力）を差引いた電力以下の電力を消費電力とする、または第１の交流電力を差引いた電力以下の電力に対応する電流を消費電流とする使用状態を表示する。表示部は、複数の使用状態のうち、第２の所定電力から、出力中の第２の交流電力を差引いた電力以下の電力を消費電力とする、または第２の交流電力を差引いた電力以下の電力に対応する電流を消費電流とする使用状態（「ドライヤ（弱）」および「扇風機（弱）」など）を表示する。
【０１４３】
これにより、ユーザは、負荷の使用状況をも考慮して、Ｕ相およびＶ相にどのような負荷を接続して使用するか判断できる。
【０１４４】
なお、負荷情報は、複数の負荷の各々の突入電流に関する情報をさらに含んでもよい。
好ましくは、表示部１４は、（直流電源装置１００からの）直流電力に基づいて計算された出力可能な第１の交流電力（Ｕ相の交流電力）および第２の交流電力（Ｖ相の交流電力）を表示する。
【０１４５】
これにより、ユーザは、直流電源装置１００が出力可能な直流電力を考慮して、Ｕ相およびＶ相にどのような負荷を接続して使用するか判断できる。
【０１４６】
図８を参照して、パワーコンディショナ２００Ｂは、第１の端子（端子２０１）と、第２の端子（端子２０２）と、第３の端子（端子２０３）と、を備える。第１の端子（端子２０１）および第２の端子（端子２０２）は、単相３線式電力線（電力線４０）の第１相（Ｕ相）に第１の交流電力を出力する。第３の端子（端子２０３）および第２の端子（端子２０２）は、単相３線式電力線（電力線４０）の第２相（Ｖ相）に第２の交流電力を出力する。パワーコンディショナ２００Ｂは、さらに、入力部２３０と、記憶部２４０と、電力情報作成部（制御部２２０Ｂ）と、通信部２６０とを含む。入力部２３０は、第１相（Ｕ相）に出力された第１の交流電力に関する情報あるいは第１の交流電流に関する情報と、第２相（Ｖ相）に出力された第２の交流電力に関する情報あるいは第２の交流電流に関する情報とを受ける。記憶部２４０は、パワーコンディショナ２００Ｂが第１相に出力可能な第１の所定電力（図３などに示す「定格電力Ｐｔｈ１」）と、パワーコンディショナが第２相に出力可能な第２の所定電力（図２などに示す「定格電力Ｐｔｈ２」）とを記憶する。電力情報作成部（制御部２２０Ａ）は、入力部２３０が受けた第１の交流電力に関する情報あるいは第１の交流電流に関する情報と、第２の交流電力に関する情報あるいは第２の交流電流に関する情報と、第１の所定電力と第２の所定電力から電力情報を作成する。通信部２６０は、電力情報をパワーコンディショナ２００Ｂの外部に送信するために用いられる。電力情報は、第１の所定電力と第１の交流電力との比較結果と、第２の所定電力と第２の交流電力との比較結果と、を含む。
【０１４７】
なお、第１の所定電力あるいは第２の所定電力は、定格電力に限らず、ユーザが任意に決定した電力であってもよい。
【０１４８】
通信部２６０から送られる電力情報は、たとえば表示部６００に表示される。表示部６００に表示された電力情報を参考とすることによって、ユーザは、適切に負荷をＵ相およびＶ相に接続して使用することができる。これにより、パワーコンディショナ２００Ｂの出力性能を最大限に発揮される。
【０１４９】
たとえば図２などに示すように、パワーコンディショナ２００および表示装置１０は、パワーコンディショニングシステム１の一部を構成する。
【０１５０】
今回開示された実施の形態は、すべての点で例示であって制限的なものではないと考えられるべきである。本発明の範囲は、上記した実施の形態の説明でなくて特許請求の範囲によって示され、特許請求の範囲と均等の意味および範囲内でのすべての変更が含まれることが意図される。
【符号の説明】
【０１５１】
１，１Ａ，１Ｂ  パワーコンディショニングシステム、１０  表示装置、１１，２３０  入力部、１２，２４０  記憶部、１３  電力情報作成部、１４，２５０，６００  表示部、２１，２２，２３１，２３２  電流センサ、３１〜３３，３１０，３２０，４１０，４２０  負荷、４０  電力線、１００  直流電源装置、２００，２００Ａ，２００Ｂ  パワーコンディショナ２０１〜２０５，２１１〜２１５，２６１  端子、２１０，２１０Ａ  電力変換部、２２０，２２０Ａ，２２０Ｂ  制御部、２６０  通信部、３００，４００  負荷群、５００  交流電力系統、Ｃ３，Ｃ４  コンデンサ、Ｌ１，Ｌ２  インダクタ、Ｑ１〜Ｑ６  トランジスタ、Ｔ１〜Ｔ６  制御端子。
【図１】
2015211537.tif 000003
【図２】
2015211537.tif 000004
【図３】
2015211537.tif 000005
【図４】
2015211537.tif 000006
【図５】
2015211537.tif 000007
【図６】
2015211537.tif 000008
【図７】
2015211537.tif 000009
【図８】
2015211537.tif 000010
【図９】
2015211537.tif 000011